(57)【要約】 【課題】  ゴルフ場のホールの飛距離確認範囲において、ティーグラウンドの各スタート基点からの飛距離の目安とされ、しかも、グリーンまでの残距離判断の一助となるゴルフ場用距離表示標識を提供すること。【解決手段】  ティーグラウンド９の各距離計測基点ａ、ｂ、ｃ毎の飛距離1a、1b、1c表示のみのもの、若しくは該飛距離1a、1b、1c毎のそれぞれにグリーン１１までの残距離1gを併記したもの、又は全飛距離1a、1b、1cを併記表示したものにグリーン１１までの残距離1gを併記表示した表示板Ａや盤体Ｂで提供される。  距離計測基点ａはバックティーグラウンドにおける基点であり、同ｂはフロントティーグラウンドにおける基点であり、同ｃはレディスティーグラウンドにおける基点である。また、グリーンまでの残距離1gの表示は、飛距離表示点からグリーン１１の中央までであったり、グリーン１１の手前側エッジまでのものなどである。【選択図】図１
2006192012.tif 000002
【特許請求の範囲】
【請求項１】
ゴルフ場のホールの飛距離確認範囲内で表示される標識において、
該標識が、ティーグラウンドの距離計測基点からの飛距離表示がされたものであるゴルフ場用距離表示標識。
【請求項２】
前記標識が、ティーグラウンドの距離計測基点からの飛距離表示と、該表示点からグリーンまでの残距離表示とから成る請求項１記載のゴルフ場用距離表示標識。
【請求項３】
前記飛距離表示がレディスティーグラウンド、フロントティーグラウンド、バックティーグラウンドの各距離計測基点からの各飛距離が併記されたものから成る請求項１又は２記載のゴルフ場用距離表示標識。
【発明の詳細な説明】
【技術分野】
【０００１】
本発明は、ゴルフ場のホールにおける各スタート基点（距離計測基点）からの飛距離と、飛距離表示点からグリーンまでの残距離とを各様に表示する標識に関する。
【背景技術】
【０００２】
本出願人は、先に「ゴルフ場のホール構成要素」を出願し、スタート基点からの飛距離の目安となるように、フェアウェー上に円弧状ラインを表示するとともに、該ライン上に表示板や旗などの標識を設けることを提案した。しかし飛距離表示点からグリーンまでの残距離表示がないため、ティーグラウンドにおいて表示されたグリーンまでの距離から算出しなければならず不便である。
また、ホール内での距離表示手段としては、ティーグラウンドにおいてホール番号、パー数及びグリーンまでの距離を表示した距離表示柱（登録実用新案第３０４９６７２号：特許文献１）や、屋外排水溝の集水桝のグレーチング上でグリーンまでの距離を表示した距離表示ステッカーを貼着したゴルフ場用距離表示器(実開平６−３１７７９号公報：特許文献２)などが開示されているが、両特許文献１、２共に現実のスタート基点からの飛距離の把握ができず、プレイヤー各人の体得する技能が飛距離と直結しない欠点がある。
【特許文献１】登録実用新案第３０４９６７２号
【特許文献２】実開平６−３１７７９号公報
【発明の開示】
【発明が解決しようとする課題】
【０００３】
本発明は、ゴルフ場のホールの飛距離確認範囲のおいて、ティーグラウンドの各スタート基点からの飛距離の目安とされ、しかも、グリーンまでの残距離判断の一助となるゴルフ場用距離表示標識を提案する。
【課題を解決するための手段】
【０００４】
本発明の請求項１に記載したゴルフ場用距離表示標識は、ゴルフ場のホールの飛距離確認範囲内で表示される標識において、
該標識が、ティーグラウンドの距離計測基点からの飛距離表示のなされたものから成る。
請求項２に記載した発明は、請求項１に記載したゴルフ場用距離表示標識において、
前記標識が、ティーグラウンドの距離計測基点からの飛距離表示と、該表示の地点からグリーンまでの残距離表示とから成る。
請求項３に記載した発明は、請求項１又は２に記載したゴルフ場用距離表示標識において、飛距離表示が、レディスティーグラウンド、フロントティーグラウンド、バックティーグラウンドの各距離計測基点からの各飛距離が併記されたものから成る。
【発明の効果】
【０００５】
本発明のゴルフ場用距離表示標識によれば、ティーグラウンドの各スタート基点からの飛距離の把握ができるから、一般のゴルファーの体得するドライバー能力の確認がなされ、また、グリーン中央又はグリーンエッジまでの残距離表示により前記のドライバー能力が有効に発揮されてゴルフの技術向上に大いに貢献するほか、ゴルフのドライバーコンテストなどのイベントにも有用であり、ゴルフ場の経営の活性化や標識製作分野の活性化にも資する。
【発明を実施するための最良の形態】
【０００６】
グリーンまでの残距離表示とはグリーン中央までの残距離表示であったり、手前のグリーンエッジまでの残距離表示である。距離表示標識とは支柱のある表示板や、フェアウェーラインの外側で地面にべた置き固定される盤体などであり、各輪郭は円形や角形、菱形その他の各種形状が選択される。
【実施例】
【０００７】
本発明を実施例により説明すると、ゴルフ場用距離表示標識の一例としての表示板Ａは、図１に示すように、輪郭矩形の板本体１に支柱２が一体にされ、板本体１には上段に背景赤色で白抜きのレディスティーグラウンドの距離計測基点ｃからの飛距離（200ヤード）1cが表示され、中段に背景白色で黒字のフロントティーグラウンドの距離計測基点bからの飛距離（220ヤード）1bが表示され、下段に背景青色で白抜きのバックティーグラウンドの距離計測基点ａからの飛距離（240ヤード）1aが表示され、その右方に縦書きで表示位置からグリーン中央或いはグリーンの手前側エッジまでの残距離（200ヤード）1gが表示されて成る。図2に示した表示板Ａの板本体１には上段に赤丸でレディスティーグラウンドの距離計測基点ｃからの飛距離（160ヤード）1cが表示され、中段の白丸でフロントティーグラウンドの距離計測基点ｂからの飛距離（200ヤード）1bが表示され、下段の青丸でバックティーグラウンドの距離計測基点ａからの飛距離（250ヤード）1aが表示され、右方には縦書きで表示位置からグリーン中央或いはグリーンの手前側エッジまでの残距離（150ヤード）1gが表示されて成る。
以上に示した表示板Ａの板本体１の輪郭はこのものに限定するものではなく円形や菱形など種々の形状が選択される。表示については図４に示すように、分図（ａ）では円形の板本体１にレディスティーグラウンドの距離計測基点ｃからの飛距離（200ヤード）1cが表示され、分図（ｂ）ではフロントティーグラウンドの距離計測基点ｂからの飛距離（220ヤード）1ｂが菱形の板本体１に表示され、分図（ｃ）ではバックティーグラウンドの距離計測基点ａからの飛距離（240ヤード）1aが矩形の板本体１に表示される。さらに図５の分図（ａ）に示すように、円形の板本体１にレディスティーグラウンドの距離計測基点ｃからの飛距離（200ヤード）1cがその下段に表示され、上段にその表示位置からグリーン１１まで残距離（200ヤード）1gが表示され、図５の分図（ｂ）では菱形の板本体１の下段にフロントティーグラウンドの距離計測基点ｂからの飛距離（220ヤード）1bが表示され、上段にその表示位置からグリーン１１までの残距離（200ヤード）1gが表示され、図５の分図（ｃ）では矩形の板本体１の下段にバックティーグラウンドの距離計測基点ａからの飛距離（240ヤード）1aが表示され、上段にその表示位置からグリーン１１までの残距離（200ヤード）1gが表示されるなど、各態様の板本体１の表示板Ａも提供される。さらに図６に示すように、支柱２のない盤体Ｂとして所要形状（本実施例では矩形）の盤本体３を地面に置いて隅角部などに開けた孔４にアンカー５を打ち込み固定するものも提供される。
【０００８】
このようにして成る表示板Ａや盤体Ｂは、図７に示すように、ホール６の飛距離確認範囲８において左右のフェアウェーライン７に渡って、ティーグラウンド９の各距離計測基点ａ、ｂ、ｃからの飛距離を示す各円弧状ライン１０のフェアウェーライン７上或いはその外側近傍に設けられ、ドライバーによる飛距離確認の目安とされる上、確認点からグリーン１１の中央或いはグリーン１１の手前側エッジまでの残距離を確認できるからアプローチ技術の向上に役立つこととなる。
なお、ホール６内にグリーン１１までの残距離を、50ヤード刻みで樹木に吊下したり杭に係着されるような表示具で表示している場合には、図３に示すように、各飛距離1a、1b、1cの併記のみでグリーン１１までの残距離表示のない表示板Ｃが使用されることがある。
【産業上の利用可能性】
【０００９】
本発明のゴルフ場用距離表示標識は、ゴルフ場のホールに設置され使用されるから、一般のゴルファーの技術向上やドライバーコンテストの一助となり、ゴルフ場経営の活性化や標識製作業界の活性化に貢献する。
【図面の簡単な説明】
【００１０】
【図１】本発明における表示板Ａの正面図。
【図２】本発明における他の態様を示す表示板Ａの正面図。
【図３】本発明における表示板Ｃの正面図。
【図４】本発明における表示板Ａとしての板本体１の他の実施例を示す正面図。
【図５】本発明における表示板Ａとしての板本体１の他の実施例を示す正面図。
【図６】本発明における盤体Ｂの説明用斜視図。
【図７】ホール６の構成説明図。
【符号の説明】
【００１１】
１：板本体
1a、1b、1c：飛距離
２：支柱
３：盤本体
４：孔
５：アンカー
６：ホール
７：フェアウェーライン
８：飛距離確認範囲
９：ティーグラウンド
１０：円弧状ライン
１１：グリーン
Ａ、Ｃ：表示板
Ｂ：盤体
ａ、ｂ、ｃ：距離計測基点
【図１】
2006192012.tif 000003
【図２】
2006192012.tif 000004
【図３】
2006192012.tif 000005
【図４】
2006192012.tif 000006
【図５】
2006192012.tif 000007
【図６】
2006192012.tif 000008
【図７】
2006192012.tif 000009